(57)【要約】【課題】  カバー体の中のデータを入力する入力手段を構成するキースイッチをカバー体の開閉を検出する開閉検出手段として使用することにより、製造コストを低減すると共にカバー体の開閉検出の信頼性を向上させた情報装置を提供する。【解決手段】  入力手段は、表面に複数の固定接点１５を設けた回路基板１１と、回路基板１１に載置され、固定接点１５に対向して可動接点１４を備えた弾性変形可能な連続したラバースプリング１３と、ラバースプリング１３の弾性変形により固定接点１５と可動接点１４がスイッチ動作するスイッチング部１６と頭部１８とからなる複数のキースイッチ５を備え、キースイッチ５の少なくとも一つを第１カバー体３の開閉を検出する開閉検出スイッチ１７として使用する。【選択図】  図４
2006156159.tif 000002
【特許請求の範囲】
【請求項１】
データを入力可能な入力手段を備えるとともに第２カバー体に対して開閉可能に配設される第１カバー体と、第２カバー体に対する第１カバー体の開閉状態を検出する開閉検出手段とを備えた情報装置であって、
前記入力手段は、
固定接点の配置された回路基板と、前記固定接点と接離可能な可動接点を有し圧力によって弾性変形可能なラバースプリングと、からなるスイッチング部を備えた複数の連続したキースイッチから構成されており、
前記開閉検出手段は、少なくとも一つの前記キースイッチから構成されていることを特徴とする情報装置。
【請求項２】
前記開閉検出手段を構成するキースイッチには、常に前記ラバースプリングに圧力を付与する付勢部材と、当該付勢部材が前記ラバースプリングに付与する圧力を解除する解除部材とが設けられており、
前記第１カバー体を前記第２カバー体に対して閉じたとき、前記解除部材は前記付勢部材が前記ラバースプリングに付与する圧力を解除することを特徴とする請求項1に記載の情報装置。
【請求項３】
前記解除部材は、前記ラバースプリングと前記付勢部材との間に配置されて前記ラバースプリングを押圧可能な基部と、該基部から延出され、前記回路基板と前記第１カバー体とに穿設された貫通孔を貫通する延出部とからなり、
前記第１カバー体を前記第２カバー体に対して閉じたとき、前記延出部の先端部が前記第２カバー体と当接し前記基部が前記付勢部材の圧力に抗して前記ラバースプリングから離間することで前記ラバースプリングに対する圧力を解除することを特徴とする請求項２に記載の情報装置。
【請求項４】
前記解除部材は、一端部が前記第１カバー体内に回動可能に係止されるとともに他端部が前記ラバースプリングに圧力を付与可能な押下部を構成し、両端部間に突出部を備えるアクチュエータからなり、
前記第１カバー体を前記第２カバー体に対して閉じたとき、前記突出部の先端部が前記第２カバー体と当接し前記押下部が前記付勢部材の圧力に抗して前記ラバースプリングから離間することで前記ラバースプリングに対する圧力を解除することを特徴とする請求項２に記載の情報装置。
【請求項５】
前記開閉検出手段は、一つのキースイッチと、一端部が前記第１カバー体内に固定されるとともに略中央部が前記キースイッチのラバースプリングに常に圧力を付与する押下部を構成する片持ち形状の弾性部材と、前記第２カバー体に設けられている突起部とからなり、
前記第１カバー体を前記第２カバー体に対して閉じたとき、前記突起部の先端部が前記弾性部材の他端部と当接し前記押下部が前記ラバースプリングから離間することで前記ラバースプリングに対する圧力を解除することを特徴とする請求項１に記載の情報装置。
【請求項６】
前記開閉検出手段は、一つのキースイッチと、略中央部が前記第１カバー体内で回動可能に支持され、一端部が前記キースイッチのラバースプリングに圧力を付与可能な押下部を構成するアクチュエータと、前記第２カバー体に設けられている突起部とからなり、
前記第１カバー体を前記第２カバー体に対して閉じたとき、前記突起部の先端部が前記アクチュエータの他端部と当接し前記押下部が前記ラバースプリングを押下することで前記可動接点が前記固定接点と当接することを特徴とする請求項１に記載の情報装置。
【請求項７】
前記開閉検出手段は、一つのキースイッチと、略中央部が前記第１カバー体内に設けられている支持部に回動可能に支持され、一端部が前記キースイッチのラバースプリングに圧力を付与可能な押下部を構成するアクチュエータと、前記第２カバー体に設けられ、その先端に前記アクチュエータの他端部と弾性的に係脱可能な係合部を備えた突起部とからなり、
前記第１カバー体を前記第２カバー体に対して閉じる途中で、前記突起部の係合部が前記アクチュエータの他端部と係合することで前記押下部が前記ラバースプリングを押圧するとともに、前記第１カバー体を前記第２カバー体に対して完全に閉じたとき、前記係合部が前記アクチュエータの他端部から弾性的に離脱することで前記押下部が前記ラバースプリングから離間することにより、前記可動接点が前記固定接点と短時間だけ当接することを特徴とする請求項１に記載の情報装置。
【請求項８】
前記支持部には、前記アクチュエータの回動を規制することで、前記第１カバー体を前記第２カバー体に対して開くとき、前記係合部が前記アクチュエータの他端部に当接した後に弾性的に離脱する動作を補助する規制部材が配設されていることを特徴とする請求項７に記載の情報装置。
【請求項９】
前記開閉検出手段は、二つのキースイッチと、前記第１カバー体内で前記二つのキースイッチ間に設けられている支持部に略中央部が回動可能に支持され、一端部側に一方のキースイッチのラバースプリングに圧力を付与可能な第１押下部を備えるとともに、他端部側に他方のキースイッチのラバースプリングに圧力を付与可能な第２押下部を備えるアクチュエータと、前記第２カバー体に設けられ、その先端に前記アクチュエータの他端部と弾性的に係脱可能な係合部を備えた突起部とからなり、
前記第１カバー体を前記第２カバー体に対して閉じる途中で、前記突起部の係合部が前記アクチュエータの他端部と係合することで前記第１押下部が一方のキースイッチのラバースプリングを押圧するとともに、前記第１カバー体を前記第２カバー体に対して完全に閉じたとき、前記係合部が前記アクチュエータの他端部から弾性的に離脱することで前記第１押下部が一方のキースイッチのラバースプリングの押圧を解除することにより、前記可動接点が前記固定接点と短時間だけ当接するとともに、
前記第１カバー体を前記第２カバー体に対して開く途中で、前記突起部の係合部が前記アクチュエータの他端部と係合することで前記第２押下部が他方のキースイッチのラバースプリングを押圧するとともに、前記第１カバー体を前記第２カバー体に対して完全に開いたとき、前記係合部が前記アクチュエータの他端部から弾性的に離脱することで前記第２押下部が他方のキースイッチのラバースプリングの押圧を解除することにより、前記可動接点が前記固定接点と短時間だけ当接することを特徴とする請求項１に記載の情報装置。
【請求項１０】
前記開閉検出手段を構成するキースイッチのラバースプリング内には、前記ラバースプリングの弾性変形を解除するように付勢する変形解除部材が設けられていることを特徴とする請求項１乃至請求項９のいずれかに記載の情報装置。
【請求項１１】
前記変形解除部材は、導電性弾性部材からなる可動接点であることを特徴とする請求項１０に記載の情報装置。
【請求項１２】
前記開閉検出手段として使用されるキースイッチは、共にリング状の固定接点と可動接点とが常に当接するようにラバースプリングの中心と同軸状に配置され、前記回路基板には固定接点の中心と同軸状の貫通孔が穿設され、前記第２カバー体には突起部が設けられており、
前記第１カバー体を前記第２カバー体に対して閉じたとき、前記突起部の先端部が前記貫通孔を介してラバースプリングの中心を押し上げることにより、前記可動接点が前記固定接点から離間することを特徴とする請求項１に記載の情報装置。
【請求項１３】
前記ラバースプリングの頭部には、前記固定接点と可動接点とが常に当接するよう付勢する弾性部材が設けられていることを特徴とする請求項１２に記載の情報装置。
【発明の詳細な説明】
【技術分野】
【０００１】
本発明は、装置筺体に対して開閉可能に配設されたカバー体と、該カバー体の開閉状態を検出する開閉検出手段とを備えた情報装置に関するものである。
【背景技術】
【０００２】
従来より、ファクシミリ装置、コピー機、プリンタ等の情報装置では、装置筺体に対して開閉可能に配設されたカバー体の開閉状態を検出するために、マイクロスイッチ等の個別部品による開閉検出手段を設けることが考えられている。
例えば、特許文献１には、装置筺体に貫通孔を穿設すると共にカバー体に突起部を設け、カバー体が閉じられたときには突起部が貫通孔を貫通して、その奥に配設されたマイクロスイッチを押下する装置が開示されている。
【０００３】
また、特許文献２には、カバー体の開閉状態を検出するスイッチとして内部にホールＩＣが組み込まれた無接点スイッチが使用され、ホールＩＣをカバー体の開閉に従ってオン・オフするための磁石がカバー体のホールＩＣに対応する位置に埋め込まれている装置が開示されている。
【０００４】
【特許文献１】実用新案登録第２５３６７６１号公報
【０００５】
【特許文献２】特開平１−２７８３８４号公報
【発明の開示】
【発明が解決しようとする課題】
【０００６】
しかしながら、上述した特許文献１、２の装置に使用されるカバー体の開閉状態を検出するスイッチにおいては、高価なホールＩＣやフォトセンサ等の単体の部品を使用するのでそのまま部品費、組立費のコストアップの要因になるという問題がある。
また、スイッチを取り付けるためのスペースを確保しなければならないという問題があり、更には、その位置は確実にスイッチのオン・オフ動作がなされる場所でなければならない。
更に、スイッチとして単体の部品を取り付けるために、スイッチ取り付け位置までの専用ハーネスが必要となるが、専用ハーネスは、カバー体の中を引き回されるのでノイズ対策も重要な問題となる。その結果、専用ハーネスの必要性とノイズ対策のために製造コストが上昇してしまうという問題もある。
更に、スイッチとして単体の部品を取り付けるのでスイッチを作動させる操作側との位置決めを極めて正確に行う必要があり、微調整のために作業費がアップする要因になるという問題がある。
【０００７】
本発明は、上述した問題点を解決するためになされたものであり、装置筐体に対して開閉可能に配設されたカバー体を備える情報装置であって、カバー体内に設けられているキースイッチ（データや使用者の指示を入力するための入力手段）をカバー体の開閉状態を検出する開閉検出手段として使用することにより、製造コストを低減するとともにカバー体の開閉検出の信頼性を向上させた情報装置を提供することを目的とする。
【課題を解決するための手段】
【０００８】
前記目的を達成するために請求項１に係る情報装置は、データを入力可能な入力手段を備えるとともに第２カバー体に対して開閉可能に配設される第１カバー体と、第２カバー体に対する第１カバー体の開閉状態を検出する開閉検出手段とを備えた情報装置であって、前記入力手段は、固定接点の配置された回路基板と、前記固定接点と接離可能な可動接点を有し圧力によって弾性変形可能なラバースプリングと、からなるスイッチング部を備えた複数の連続したキースイッチから構成されており、前記開閉検出手段は、少なくとも一つの前記キースイッチから構成されていることを特徴とする。
【０００９】
また、請求項２に係る情報装置は、請求項１に記載の情報装置において、前記開閉検出手段を構成するキースイッチには、常に前記ラバースプリングに圧力を付与する付勢部材と、当該付勢部材が前記ラバースプリングに付与する圧力を解除する解除部材とが設けられており、前記第１カバー体を前記第２カバー体に対して閉じたとき、前記解除部材は前記付勢部材が前記ラバースプリングに付与する圧力を解除することを特徴とする。
【００１０】
また、請求項３に係る情報装置は、請求項２に記載の情報装置において、前記解除部材は、前記ラバースプリングと前記付勢部材との間に配置されて前記ラバースプリングを押圧可能な基部と、該基部から延出され、前記回路基板と前記第１カバー体とに穿設された貫通孔を貫通する延出部とからなり、前記第１カバー体を前記第２カバー体に対して閉じたとき、前記延出部の先端部が前記第２カバー体と当接し前記基部が前記付勢部材の圧力に抗して前記ラバースプリングから離間することで前記ラバースプリングに対する圧力を解除することを特徴とする。
【００１１】
また、請求項４に係る情報装置は、請求項２に記載の情報装置において、前記解除部材は、一端部が前記第１カバー体内に回動可能に係止されるとともに他端部が前記ラバースプリングに圧力を付与可能な押下部を構成し、両端部間に突出部を備えるアクチュエータからなり、前記第１カバー体を前記第２カバー体に対して閉じたとき、前記突出部の先端部が前記第２カバー体と当接し前記押下部が前記付勢部材の圧力に抗して前記ラバースプリングから離間することで前記ラバースプリングに対する圧力を解除することを特徴とする。
【００１２】
また、請求項５に係る情報装置は、請求項１に記載の情報装置において、前記開閉検出手段は、一つのキースイッチと、一端部が前記第１カバー体内に固定されるとともに略中央部が前記キースイッチのラバースプリングに常に圧力を付与する押下部を構成する片持ち形状の弾性部材と、前記第２カバー体に設けられている突起部とからなり、前記第１カバー体を前記第２カバー体に対して閉じたとき、前記突起部の先端部が前記弾性部材の他端部と当接し前記押下部が前記ラバースプリングから離間することで前記ラバースプリングに対する圧力を解除することを特徴とする。
【００１３】
また、請求項６に係る情報装置は、請求項１に記載の情報装置において、前記開閉検出手段は、一つのキースイッチと、略中央部が前記第１カバー体内で回動可能に支持され、一端部が前記キースイッチのラバースプリングに圧力を付与可能な押下部を構成するアクチュエータと、前記第２カバー体に設けられている突起部とからなり、前記第１カバー体を前記第２カバー体に対して閉じたとき、前記突起部の先端部が前記アクチュエータの他端部と当接し前記押下部が前記ラバースプリングを押下することで前記可動接点が前記固定接点と当接することを特徴とする。
【００１４】
また、請求項７に係る情報装置は、請求項１に記載の情報装置において、前記開閉検出手段は、一つのキースイッチと、略中央部が前記第１カバー体内に設けられている支持部に回動可能に支持され、一端部が前記キースイッチのラバースプリングに圧力を付与可能な押下部を構成するアクチュエータと、前記第２カバー体に設けられ、その先端に前記アクチュエータの他端部と弾性的に係脱可能な係合部を備えた突起部とからなり、前記第１カバー体を前記第２カバー体に対して閉じる途中で、前記突起部の係合部が前記アクチュエータの他端部と係合することで前記押下部が前記ラバースプリングを押圧するとともに、前記第１カバー体を前記第２カバー体に対して完全に閉じたとき、前記係合部が前記アクチュエータの他端部から弾性的に離脱することで前記押下部が前記ラバースプリングから離間することにより、前記可動接点が前記固定接点と短時間だけ当接することを特徴とする。
【００１５】
また、請求項８に係る情報装置は、請求項７に記載の情報装置において、前記支持部には、前記アクチュエータの回動を規制することで、前記第１カバー体を前記第２カバー体に対して開くとき、前記係合部が前記アクチュエータの他端部に当接した後に弾性的に離脱する動作を補助する規制部材が配設されていることを特徴とする。
【００１６】
また、請求項９に係る情報装置は、請求項１に記載の情報装置において、前記開閉検出手段は、二つのキースイッチと、前記第１カバー体内で前記二つのキースイッチ間に設けられている支持部に略中央部が回動可能に支持され、一端部側に一方のキースイッチのラバースプリングに圧力を付与可能な第１押下部を備えるとともに、他端部側に他方のキースイッチのラバースプリングに圧力を付与可能な第２押下部を備えるアクチュエータと、前記第２カバー体に設けられ、その先端に前記アクチュエータの他端部と弾性的に係脱可能な係合部を備えた突起部とからなり、前記第１カバー体を前記第２カバー体に対して閉じる途中で、前記突起部の係合部が前記アクチュエータの他端部と係合することで前記第１押下部が一方のキースイッチのラバースプリングを押圧するとともに、前記第１カバー体を前記第２カバー体に対して完全に閉じたとき、前記係合部が前記アクチュエータの他端部から弾性的に離脱することで前記第１押下部が一方のキースイッチのラバースプリングの押圧を解除することにより、前記可動接点が前記固定接点と短時間だけ当接するとともに、前記第１カバー体を前記第２カバー体に対して開く途中で、前記突起部の係合部が前記アクチュエータの他端部と係合することで前記第２押下部が他方のキースイッチのラバースプリングを押圧するとともに、前記第１カバー体を前記第２カバー体に対して完全に開いたとき、前記係合部が前記アクチュエータの他端部から弾性的に離脱することで前記第２押下部が他方のキースイッチのラバースプリングの押圧を解除することにより、前記可動接点が前記固定接点と短時間だけ当接することを特徴とする。
【００１７】
また、請求項１０に係る情報装置は、請求項１乃至請求項９のいずれかに記載の情報装置において、前記開閉検出手段を構成するキースイッチのラバースプリング内には、前記ラバースプリングの弾性変形を解除するように付勢する変形解除部材が設けられていることを特徴とする。
【００１８】
また、請求項１１に係る情報装置は、請求項１０に記載の情報装置において、前記変形解除部材は、導電性弾性部材からなる可動接点であることを特徴とする。
【００１９】
また、請求項１２に係る情報装置は、請求項１に記載の情報装置において、前記開閉検出手段として使用されるキースイッチは、共にリング状の固定接点と可動接点とが常に当接するようにラバースプリングの中心と同軸状に配置され、前記回路基板には固定接点の中心と同軸状の貫通孔が穿設され、前記第２カバー体には突起部が設けられており、前記第１カバー体を前記第２カバー体に対して閉じたとき、前記突起部の先端部が前記貫通孔を介してラバースプリングの中心を押し上げることにより、前記可動接点が前記固定接点から離間することを特徴とする。
【００２０】
また、請求項１３に係る情報装置は、請求項１２に記載の情報装置において、前記ラバースプリングの頭部には、前記固定接点と可動接点とが常に当接するよう付勢する弾性部材が設けられていることを特徴とする。
【発明の効果】
【００２１】
請求項１に係る情報装置では、入力手段は、固定接点の配置された回路基板と、固定接点と接離可能な可動接点を有し圧力によって弾性変形可能なラバースプリングと、からなるスイッチング部を備えた複数の連続したキースイッチから構成されており、開閉検出手段は、少なくとも一つのキースイッチから構成されているので、カバー体の開閉状態を検出する専用スイッチと、専用スイッチまでの専用ハーネスと、専用ハーネスのためのノイズ対策を無くすことができ、合わせてこれらを組み立てる組立費や位置決め等の微調整の作業費が削減できるので製造コストが低減できるという極めて大きな効果がある。また、回路基板の固定接点やラバースプリングはその機能のブロック毎にまとまっているので、開閉状態を検出するスイッチを設けるために、そのブロックとブロックの空いている部分にスイッチを追加する事が出来るので従来価格とほぼ同じ価格で購入できるという効果もある。
【００２２】
また、請求項２に係る情報装置では、開閉検出手段を構成するキースイッチには、常にラバースプリングに圧力を付与する付勢部材と、付勢部材がラバースプリングに付与する圧力を解除する解除部材とが設けられており、第１カバー体を第２カバー体に対して閉じたとき、解除部材は付勢部材がラバースプリングに付与する圧力を解除するようにしたので、情報装置の使用上状態では、第１カバー体を第２カバー体に対して閉じた状態で使用されるが、閉じた状態で解除部材により、付勢部材がラバースプリングに付与する圧力を解除するため、ラバースプリングのクリープ対策に効果がある。
【００２３】
また、請求項３に係る情報装置では、解除部材は、ラバースプリングと付勢部材との間に配置されてラバースプリングを押圧可能な基部と、基部から延出され、回路基板と第１カバー体とに穿設された貫通孔を貫通する延出部とからなり、第１カバー体を第２カバー体に対して閉じたとき、延出部の先端部が第２カバー体と当接し基部が付勢部材の圧力に抗してラバースプリングから離間することでラバースプリングに対する圧力を解除するようにしたことにより、情報装置の使用上状態では、第１カバー体を第２カバー体に対して閉じた状態で使用されるが、閉じた状態で解除部材により、付勢部材がラバースプリングに付与する圧力を解除するため、ラバースプリングのクリープ対策に効果がある。また、延出部の先端を第2カバー体が平面であれば何処でも受けられるので、微妙な位置調整をする必要が無いという効果と、開閉状態を検出するスイッチの配置決めは、入力手段の範囲内であればどこでもよいので設計的に余裕ができたという効果もある。更に、開閉状態を検出するスイッチ機能が完結しているので組立ても簡単になるという効果もある。
【００２４】
また、請求項４に係る情報装置では、解除部材は、一端部が第１カバー体内に回動可能に係止されるとともに他端部がラバースプリングに圧力を付与可能な押下部を構成し、両端部間に突出部を備えるアクチュエータからなり、第１カバー体を第２カバー体に対して閉じたとき、突出部の先端部が第２カバー体と当接し押下部が付勢部材の圧力に抗してラバースプリングから離間することでラバースプリングに対する圧力を解除するようにしたので、情報装置の使用上状態では、第１カバー体を第２カバー体に対して閉じた状態で使用されるが、閉じた状態で解除部材により、付勢部材がラバースプリングに付与する圧力を解除するため、ラバースプリングのクリープ対策に効果がある。また、突出部を第2カバー体のどこでも受けることができるので、微妙な位置調整をする必要が無いという効果もある。更に、開閉状態を検出するスイッチ機能が完結しているので組立ても簡単になるという効果もある。そして、この形態は、開閉状態を検出するスイッチの配置が第1カバー体の端部に配置できるのでデータを入力する入力手段の下を記録媒体が通過する情報装置において記録媒体の通過を妨げないという効果もある。
【００２５】
また、請求項５に係る情報装置では、開閉検出手段は、一つのキースイッチと、一端部が第１カバー体内に固定されるとともに略中央部がキースイッチのラバースプリングに常に圧力を付与する押下部を構成する片持ち形状の弾性部材と、第２カバー体に設けられている突起部とからなり、第１カバー体を第２カバー体に対して閉じたとき、突起部の先端部が弾性部材の他端部と当接し押下部がラバースプリングから離間することでラバースプリングに対する圧力を解除するようにしたので、情報装置の使用上状態では、第１カバー体を第２カバー体に対して閉じた状態で使用されるが、閉じた状態で解除部材により、弾性部材がラバースプリングに付与する圧力を解除するため、ラバースプリングのクリープ対策に効果がある。また、片持ち形状の弾性部材がアクチュエータを兼ねるので部品点数が削減できコストダウンの効果もある。更に、構造が簡単になるのでスペースに余裕ができ、薄型化の設計ができる効果もある。そして、部品点数が減ることによって信頼性をあげることができるという効果もある。
【００２６】
また、請求項６に係る情報装置では、開閉検出手段は、一つのキースイッチと、略中央部が第１カバー体内で回動可能に支持され、一端部が前記キースイッチのラバースプリングに圧力を付与可能な押下部を構成するアクチュエータと、第２カバー体に設けられている突起部とからなり、第１カバー体を第２カバー体に対して閉じたとき、突起部の先端部がアクチュエータの他端部と当接し押下部がラバースプリングを押下することで可動接点が固定接点と当接するので、装置の都合で第１カバー体が閉じているときにオン状態にしなければならないときに効果がある。また、部品点数が最小で更に安価な樹脂成型で部品ができるのでコストダウンに対する効果もある。
【００２７】
また、請求項７に係る情報装置では、開閉検出手段は、一つのキースイッチと、略中央部が第１カバー体内に設けられている支持部に回動可能に支持され、一端部がキースイッチのラバースプリングに圧力を付与可能な押下部を構成するアクチュエータと、第２カバー体に設けられ、その先端にアクチュエータの他端部と弾性的に係脱可能な係合部を備えた突起部とからなり、第１カバー体を第２カバー体に対して閉じる途中で、突起部の係合部がアクチュエータの他端部と係合することで押下部がラバースプリングを押圧するとともに、第１カバー体を第２カバー体に対して完全に閉じたとき、係合部がアクチュエータの他端部から弾性的に離脱することで押下部がラバースプリングから離間することにより、可動接点が固定接点と短時間だけ当接するので、第１カバー体が閉じはじめたことを報知するトリガ信号にできる効果がある。また、第１カバー体を完全に閉じるとラバースプリングの復帰力のみでラバースプリングが復帰するので、ラバースプリングのクリープ問題を考慮する必要が無いという効果がある。そして、部品点数が最小で更に安価な樹脂成型の部品を使用してクリープ対策と信頼性確保及びコストダウンができる効果もある。
【００２８】
また、請求項８に係る情報装置では、支持部には、アクチュエータの回動を規制することで、第１カバー体を第２カバー体に対して開くとき、係合部がアクチュエータの他端部に当接した後に弾性的に離脱する動作を補助する規制部材が配設されているので、第１カバー体を開くとき、アクチュエータが回動してしまい、次に第１カバー体を閉じたときにアクチュエータが正常に動作しないという問題を防止できる効果がある。
【００２９】
また、請求項９に係る情報装置では、開閉検出手段は、二つのキースイッチと、第１カバー体内で二つのキースイッチ間に設けられている支持部に略中央部が回動可能に支持され、一端部側に一方のキースイッチのラバースプリングに圧力を付与可能な第１押下部を備えるとともに、他端部側に他方のキースイッチのラバースプリングに圧力を付与可能な第２押下部を備えるアクチュエータと、第２カバー体に設けられ、その先端にアクチュエータの他端部と弾性的に係脱可能な係合部を備えた突起部とからなり、第１カバー体を第２カバー体に対して閉じる途中で、突起部の係合部がアクチュエータの他端部と係合することで第１押下部が一方のキースイッチのラバースプリングを押圧するとともに、第１カバー体を第２カバー体に対して完全に閉じたとき、係合部がアクチュエータの他端部から弾性的に離脱することで第１押下部が一方のキースイッチのラバースプリングの押圧を解除することにより、可動接点が固定接点と短時間だけ当接するとともに、第１カバー体を第２カバー体に対して開く途中で、突起部の係合部がアクチュエータの他端部と係合することで第２押下部が他方のキースイッチのラバースプリングを押圧するとともに、第１カバー体を第２カバー体に対して完全に開いたとき、係合部がアクチュエータの他端部から弾性的に離脱することで第２押下部が他方のキースイッチのラバースプリングの押圧を解除することにより、可動接点が固定接点と短時間だけ当接するようにしたことにより、第１カバー体が閉じているときでも開いているときでもラバースプリングの復帰力のみで復帰させることができるので、クリープフリーとなりクリープの問題を考慮する必要が無いという効果がある。また、第１カバー体を閉じるときでも開くときでもその動作のトリガ信号を出力できるという効果もある。
【００３０】
また、請求項１０に係る情報装置では、開閉検出手段を構成するキースイッチのラバースプリング内には、ラバースプリングの弾性変形を解除するように付勢する変形解除部材が設けられているので、ラバースプリングを必要以上に連続して押圧した場合に発生する変形を解除できる効果がある。また、スイッチのオン・オフの追従性を良くする効果もある。
【００３１】
また、請求項１１に係る情報装置では、変形解除部材は、導電性弾性部材からなる可動接点であるので、スイッチのオン・オフの追従性を良くする効果がある。
【００３２】
また、請求項１２に係る情報装置では、開閉検出手段として使用されるキースイッチは、共にリング状の固定接点と可動接点とが常に当接するようにラバースプリングの中心と同軸状に配置され、回路基板には固定接点の中心と同軸状の貫通孔が穿設され、第２カバー体には突起部が設けられており、第１カバー体を第２カバー体に対して閉じたとき、突起部の先端部が貫通孔を介してラバースプリングの中心を押し上げることにより、可動接点が固定接点から離間するようにしたので、ラバースプリングを常に押圧する弾性部材もなく、更に、中間に可動部材が介在しない構成になったので製造コスト低減に効果がある。また、部品点数を削減することによって信頼性を上げることができるという効果もある。
【００３３】
また、請求項１３に係る情報装置では、ラバースプリングの頭部には、固定接点と可動接点とが常に当接するよう付勢する弾性部材が設けられているので、第１カバー体を開けたとき、開閉状態を検出するスイッチのオン状態をより確実に保持できるという効果があり、信頼性が向上するという効果がある。
【発明を実施するための最良の形態】
【００３４】
以下、本発明の第1実施形態を図面と共に説明する。先ず、本第１実施形態に係る情報装置１の概略構成について図１乃至図５に基づき説明する。図1は、第1実施形態で本発明が適用された情報装置の外観を表す正面図である。図２は、第1実施形態で本発明が適用された情報装置の第1カバー体が横開きにされた外観を表す正面図である。図３は、第1実施形態で第１カバー体に備えられた操作パネルを構成する構成部材の分解図である。図４は、第1実施形態でキースイッチと開閉検出スイッチが装着された操作パネルの断面図である。（Ａ）は、第１カバー体が開いて開閉検出スイッチがオン状態であることを示す図、（Ｂ）は、第１カバー体が閉じて開閉検出スイッチがオフ状態であることを示す図である。図５は、第1実施形態で操作パネルの組立て順序を示す図である。
【００３５】
先ず、情報装置１は、図1、図２に示すように、第１カバー体３と、装置筺体としての第２カバー体２とを各々の一端部を回動の中心として接合することで第１カバー体３を第２カバー体２に対して開閉可能に取り付けてなるクラムシェル（clam・shell）型の開閉構造を備えている。即ち、第１カバー体３は、第２カバー体２を覆うことで開放部２ａを閉じる閉塞位置Ａ（図１参照）と、第２カバー体２から離間して開放部２ａを開放する開放位置Ｂ（図２参照）との間で、一端部を回動の中心として上下方向に沿って回動可能に構成されている。より具体的には、この情報装置１は、プリンタ機能、コピー機能、スキャナ機能、ファクシミリ機能を備えた多機能装置（ＭＦＤ：Multi  Function  Device）に本発明を適用したものである。第２カバー体２の上部には、コピー機能やファクシミリ機能を実行する際に使用する画像読取装置を内蔵した第１カバー体３が配置されている。また、第１カバー体３の画像読取装置の前方には、各種キースイッチ５（入力手段に相当）や液晶表示部（ＬＣＤ）５等を備えた操作パネル４が設けられている。更に第１カバー体３には、後述する開閉検出スイッチ１７（開閉検出手段に相当）も配設されている。第２カバー体２は、複数枚の記録用紙を積層収納可能な給紙カセットが着脱可能に構成されており、更に図示しない記録用紙の給紙／分離機構、搬送機構、インクジェット記録方式の記録機構、排紙機構等が収納されている。そして、この情報装置１は、図示しない外部のパーソナルコンピュータや外部のファクシミリ装置等の通信装置と通信回線を介して接続可能に構成されている。従って、外部のパーソナルコンピュータや通信装置或いは操作パネル４から何らかの記録指示が入力された場合には、給紙カセットに収納されている記録用紙が給紙／分離機構により１枚だけ分離され、搬送機構によって搬送され、記録機構により画像が記録され、排紙機構により排紙されるのである。そして、この構成により通常時は第１カバー体３を閉塞位置Ａに位置させて第２カバー体２の開放部２ａを閉塞した状態で情報装置１は使用される。しかし、記録用紙のジャムが第２カバー体２の内部で発生した場合やインクカートリッジの交換をする場合など、使用者が第２カバー体２の内部の作業をおこなう必要がある場合には、第１カバー体３を閉塞位置Ａから開放位置Ｂまで回動して第２カバー体２の開放部２ａを開放した状態で第２カバー体２の内部で作業をおこなうこととなる。
【００３６】
次に、操作パネル４の構成について図３に基づいて説明する。（ＬＣＤ６を除く）  図３に示すように、操作パネル４は、操作パネルカバー７と第１カバー１２とによって、複数の固定接点１５（図４参照）が設けられた回路基板１１と、この回路基板１１上に載置され、可動接点１４と頭部１８（図４参照）とをそれぞれ有する複数のラバースプリング１３が一体的に連続して形成されているラバースプリングシート１０とが挟持されて構成されている。また、回路基板１１とラバースプリングシート１０との組合せによって形成される複数のキースイッチ５（図４参照）のうちの１つを開閉検出スイッチ１７として使用するために、アクチュエータ９（解除部材に相当）とスプリング８（付勢部材に相当）とが、操作パネルカバー７と第１カバー１２とによって狭持されている。
【００３７】
次に、キースイッチ５、開閉検出スイッチ１７のより詳細な構成について図４（Ａ）、（Ｂ）及び図５に基づいて説明する。但し、図５は操作パネル４の組立て順序を説明するための図なので、図４に対して天地が逆に記載してある。図４及び図５に示すように、キースイッチ５は、複数の固定接点１５が設けられた回路基板１１に、回路基板１１の固定接点１５の位置に対向する可動接点１４が設けられたシリコンゴム等からなるラバースプリング１３を載置した構成のスイッチング部１６を有し、更に、ラバースプリング１３に頭部１８が設けられた構成になっている。基本的に頭部１８は、操作パネルカバー７に設けられたガイド孔１９から操作パネルカバー７の表面よりも上方に突出している。また、その頭部１８の最上面には、文字、記号等が記載、或いは表示されているものもある。同様に回路基板１１の他の固定接点１５に対向して可動接点１４と頭部１８が設けられている他のラバースプリング１３が載置され、複数のキースイッチ５を形成している。そして、上述したように、ラバースプリング１３は、他のラバースプリング１３と連続してラバースプリングシート１０を形成している。
開閉検出スイッチ１７は、上記のように構成されたキースイッチ５の頭部１８より短い頭部２７を備えるキースイッチ５が開閉検出スイッチ１７として使用される。そして、開閉検出スイッチ１７は、図３に示すように回路基板１１とラバースプリングシート１０が機能によってブロックごとになっているので、ブロックとブロックの間やブロックの空いているスペースに、回路基板１１とラバースプリングシート１０を製作するときに開閉検出スイッチ１７用として同時に製作される。同時に製作するのでコストアップは無いという利点がある。
従って、開閉検出スイッチ１７を構成する頭部２７は、操作パネル７の表面には現出しない。そこで、図２に示すように第１カバー体３が第２カバー体２に対して開いているときは、図４（Ａ）に示すように、操作パネルカバー７に設けられた係止部２０にスプリング８を介して係止されたアクチュエータ９の基部２４が、上記のように構成された開閉検出スイッチ１７の頭部２７に、スプリング８の付勢力によって当接してラバースプリング１３を押下している。このため、可動接点１４が固定接点１５と接触するので、第１カバー体３が開放位置Ｂにあることが検出され得る。このとき、アクチュエータ９の基部２４の両端部から延出された二つの延出部２５のそれぞれの先端部２６の一端が、ラバースプリングシート１０に設けられた貫通孔２８、回路基板１１に設けられた貫通孔３０、第１カバー１２に設けられた貫通孔３２を貫通して第１カバー１２の下側に突出し、他端が、ラバースプリングシート１０に設けられた貫通孔２９、回路基板１１に設けられた貫通孔３１、第１カバー１２に設けられた貫通孔３３を貫通して第１カバー１２の下側に突出している。更に、図１に示すように第１カバー体３が第２カバー体２に対して閉じているときは、図４（Ｂ）に示すように、第２カバー３９の表面がアクチュエータ９の先端部２６をスプリング８の付勢力に抗して持ち上げているので、基部２４が開閉検出スイッチ１７の頭部２７から離間するため、ラバースプリング１３は復帰する。このため、可動接点１４は固定接点１５から離間するので、第１カバー体３が第２カバー体２に対して閉塞位置Ａにあることが検出され得るのである。
【００３８】
ここで、キースイッチ５、開閉検出スイッチ１７を含む操作パネル４を組み立てる順序を図５に基づいて説明する。図５において、先ず、操作パネルカバー７が、その裏側を上にした状態で静置される。次に、操作パネルカバー７に設けられた係止部２０の内部に設けられたボス２１に、スプリング８の一端が嵌合されて取り付けられる。次に、アクチュエータ９の基部２４に設けられたボス２３がスプリング８の他端に挿入された状態で、係止部２０に設けられたフック２２にアクチュエータ９が弾性的に係止されるまで、アクチュエータ９は操作パネルカバー７に向かって押し下げられる。アクチュエータ９が係止部２０に係止されると、アクチュエータ９はスプリング８の付勢力によって図５の上方に向かって押圧されるため、アクチュエータ９はフック２２に当接されるが、フック２２に係止されるため、アクチュエータ９が係止部２０から外れることはない。次に、アクチュエータ９の基部２４の両端部から延出された二つの延出部２５の各先端部２６が、ラバースプリングシート１０に設けられた貫通孔２８、２９を貫通するように、更に、ラバースプリングシート１０に設けられたラバースプリング１３の頭部１８が操作パネルカバー７に設けられたガイド孔１９に挿入されるように、ラバースプリングシート１０は操作パネルカバー７から延出されたボス３７、３８上に載置される。図５ではガイド孔１９は１つのみ、更にボス３７、３８は各々１つのみ記載されているが、実際にはより多くのガイド孔１９やボス３７、３８が操作パネルカバー７に設けられていることは言うまでもない。このとき、ラバースプリングシート１０に設けられた開閉検出スイッチ１７用のラバースプリング１３の頭部２７は、スプリング８の付勢力によってアクチュエータ９の基部２４が図５における上方向に位置しているため、基部２４と当接している。次に、ラバースプリングシート１０に設けられた貫通孔２８、２９から突出しているアクチュエータ９の二つの延出部２５の各先端部２６が回路基板１１に設けられた貫通孔３０、３１に貫通するように回路基板１１がラバースプリングシート１０上に載置される。このとき、操作パネルカバー７から延出された図示しないフックによって回路基板１１とラバースプリングシート１０が操作パネルカバー７に固定される。次に、回路基板１１に設けられた貫通孔３０、３１から突出しているアクチュエータ９の二つの延出部２５の各先端部２６が第１カバー１２に設けられた貫通孔３２、３３に貫通するように、第１カバー１２が回路基板１１上に載置される。最後に、操作パネルカバー７から延出された図示しないボスに第１カバー１２の裏面から図示しないネジでネジ締めすることによって、第１カバー１２に操作パネルカバー７が固定される。このようにして組み立てられた第１カバー１２に画像読取装置、その他関連部品が取り付けられて第１カバー体３が完成し、装置筺体としての第２カバー体２に対して第１カバー体３が開閉可能に取り付けられる。完成して、第２カバー体２に取り付けられた第１カバー体３は、図１、図２、図４に示すように、図５とは天地が逆の状態で配設されるので、第１カバー１２の支えリブ３４、３５、３６が回路基板１１を支えることとなる。
【００３９】
続いて、キースイッチ５、開閉検出スイッチ１７の動作を図１、図２、図４に基づいて説明する。キースイッチ５の動作は、図４（Ａ）、（Ｂ）に示すように、頭部１８が使用者により押下されていなければ、回路基板１１に設けられた固定接点１５とラバースプリング１３に設けられた可動接点１４とは離間しているのでオフ状態になっている。頭部１８が使用者により押下されると、固定接点１５と可動接点１４とが当接してオン状態になる。このとき、キースイッチ５に割り当てられた機能でデータが入力される。次に、開閉検出スイッチ１７の動作を説明する。情報装置１の通常の使用時においては、図１に示すように、第１カバー体３が閉塞位置Ａに位置して第２カバー体２の開放部２ａを閉塞している。このとき、開閉検出スイッチ１７の状態は、図４（Ｂ）に示す状態になっている。即ち、第２カバー３９がアクチュエータ９の基部２４の両端部から延出された二つの延出部２５の各先端部２６をスプリング８の付勢力に抗して持ち上げているので、アクチュエータ９の基部２４とラバースプリング１３の頭部２７の間に隙間ができてラバースプリング１３は自力で復帰している。これによって、回路基板１１に設けられた固定接点１５とラバースプリング１３に設けられた可動接点１４とが離間するので開閉検出スイッチ１７はオフ状態になっている。このオフ状態を図示しない制御部は、第１カバー体３が閉じている状態であると判断する。また、情報装置１の内部で記録用紙のジャムが発生した場合やインクカートリッジの交換をする場合など、使用者が第２カバー体２の内部の作業をおこなう必要がある場合には、使用者は、図２に示すように、第１カバー体３を閉塞位置Ａから開放位置Ｂまで回動して第２カバー体２の開放部２ａを開放した状態で、第２カバー体２の内部で作業をおこなうことになる。このとき、開閉検出スイッチ１７の状態は、図４（Ａ）に示す状態になっている。即ち、アクチュエータ９の基部２４の両端部から延出された二つの延出部２５の各先端部２６が第２カバー３９から離間してフリーになっているので、スプリング８の付勢力によってラバースプリング１３の頭部２７をアクチュエータ９の基部２４が押下している。これによって、回路基板１１に設けられた固定接点１５とラバースプリング１３に設けられた可動接点１４が当接するので開閉検出スイッチ１７はオン状態になっている。このオン状態を図示しない制御部は、第１カバー体３が開いている状態であると判断し使用者に対して開放状態である旨の報知を含む危険防止の措置を取る。また、第１カバー体３が開放位置Ｂにある時間は、ジャムの発生した記録用紙の除去や、インクカートリッジの交換等の間だけであって、通常の使用時に閉塞位置Ａにある時間に比して極めて短時間であるのでラバースプリング１３で発生するクリープ現象は無いと考えてよい。
【００４０】
以上詳細に説明した通り、第１実施形態に係る情報装置１では、入力手段は、固定接点１５の配置された回路基板１１と、固定接点１５と接離可能な可動接点１４を有し圧力によって弾性変形可能なラバースプリング１３と、からなるスイッチング部１６を備えた複数の連続したキースイッチ５から構成されており、開閉検出スイッチ１７は、少なくとも一つのキースイッチ５から構成されているので、第１カバー体３の開閉状態を検出する専用スイッチと、専用スイッチまでの専用ハーネスと、専用ハーネスのためのノイズ対策を無くすことができ、合わせてこれらを組み立てる組立費や位置決め等の微調整の作業費が削減できるので製造コストが低減できるという極めて大きな効果がある。また、回路基板１１の固定接点１５やラバースプリング１３はその機能のブロック毎にまとまっているので、開閉状態を検出する開閉検出スイッチ１７を設けるために、そのブロックとブロックの空いている部分に開閉検出スイッチ１７を追加する事が出来るので従来価格とほぼ同じ価格で購入できるという効果もある。また、使用状態で開閉検出スイッチ１７のラバースプリング１３をオフ状態にしているのでクリープ対策に効果がある。
【００４１】
また、第１実施形態に係る情報装置１では、開閉検出手段を構成する開閉検出スイッチ１７には、常にラバースプリング１３に圧力を付与するスプリング８と、スプリング８がラバースプリング１３に付与する圧力を解除するアクチュエータ９とが設けられており、第１カバー体３を第２カバー体２に対して閉じたとき、アクチュエータ９はスプリング８がラバースプリング１３に付与する圧力を解除するようにしたので、情報装置１の使用上状態では、第１カバー体３を第２カバー体２に対して閉じた状態で使用されるが、閉じた状態でアクチュエータ９により、スプリング８がラバースプリング１３に付与する圧力を解除するため、ラバースプリング１３のクリープ対策に効果がある。
【００４２】
また、第１実施形態に係る情報装置１では、アクチュエータ９は、ラバースプリング１３とスプリング８との間に配置されてラバースプリング１３を押圧可能な基部２４と、基部２４から延出され、ラバースプリング１３と回路基板１１及び第１カバー体３とに穿設された貫通孔２８乃至３３貫通する延出部２５とからなり、第１カバー体３を第２カバー体２に対して閉じたとき、延出部２５の先端部２６が第２カバー体２と当接し基部２４がスプリング８の圧力に抗してラバースプリング１３から離間することでラバースプリング１３に対する圧力を解除するようにしたことにより、情報装置１の使用上状態では、第１カバー体３を第２カバー体２に対して閉じた状態で使用されるが、閉じた状態でアクチュエータ９により、スプリング８がラバースプリング１３に付与する圧力を解除するため、ラバースプリング１３のクリープ対策に効果がある。また、延出部２５の先端部２６を第2カバー体２が平面であれば何処でも受けられるので、微妙な位置調整をする必要が無いという効果と、開閉状態を検出する開閉検出スイッチ１７の配置決めは、入力手段の範囲内であればどこでもよいので設計的に余裕ができたという効果もある。更に、開閉状態を検出する開閉検出スイッチ１７のスイッチ機能が完結しているので組立ても簡単になるという効果もある。
【００４３】
更に、本発明の第２実施形態を図６乃至図１０を参照して説明する。一般に、小型のファクシミリ装置やコピー機、更には画像読取装置では、原稿用紙が操作パネルの下側を搬送されながら、固定配置された画像読取部によって読み取られる構成のものがある。その為、このような装置では、開閉検出スイッチ１１７が原稿用紙の搬送に障害にならない位置に配置されなければならない。このような点に鑑み、第２実施形態に係る情報装置１０１は、原稿用紙の搬送に障害にならないように操作パネルカバー１０７の端部に開閉検出スイッチ１１７が設けられた操作パネル１０４を備えている。図６は、第２実施形態で本発明が適用された情報装置の外観を表す斜視図である。図７は、第２実施形態で本発明が適用された情報装置の第1カバー体が前開きにされた外観を表す斜視図である。図８は、第２実施形態で第１カバー体に備えられた操作パネルを構成する構成部材の分解図である。図９は、第２実施形態でキースイッチと開閉検出スイッチが装着された操作パネルの断面図である。（Ａ）は、第１カバー体が開いて開閉検出スイッチがオン状態にあることを示す図、（Ｂ）は、第１カバー体が閉じて開閉検出スイッチがオフ状態にあることを示す図である。図１０は、第２実施形態で操作パネルの組立て順序を示す図である。
【００４４】
先ず、情報装置１０１は、図６、図７に示すように、第１カバー体１０３と、装置筺体としての第２カバー体１０２とを各々の一端部を回動の中心として接合することで第１カバー体１０３を第２カバー体１０２に対して開閉可能に取り付けてなるクラムシェル（clam・shell）型の開閉構造を備えている。即ち、第１カバー体１０３は、第２カバー体１０２を覆うことで開放部１０２ａを閉じる閉塞位置Ｃ（図６参照）と、第２カバー体１０２から離間して開放部１０２ａを開放する開放位置Ｄ（図７参照）との間で、一端部を回動の中心として上下方向に沿って回動可能に構成されている。そして、この構成により通常時は第１カバー体１０３を閉塞位置Ｃに位置させて第２カバー体１０２の開放部１０２ａを閉塞した状態で情報装置１０１は使用される。しかし、記録用紙のジャムが第２カバー体１０２の内部で発生した場合やインクカートリッジの交換をする場合など、使用者が第２カバー体１０２の内部の作業をおこなう必要がある場合には、第１カバー体１０３を閉塞位置Ｃから開放位置Ｄまで回動して第２カバー体１０２の開放部１０２ａを開放した状態で第２カバー体１０２の内部で作業をおこなうこととなる。尚、操作パネル１０４は、使用しないときには操作パネル蓋１０４ａによって覆われている。（図６、図７参照）
【００４５】
次に、操作パネル１０４の構成について図８に基づいて説明する。図８に示すように、操作パネル１０４は、操作パネルカバー１０７と第１カバー１１２とによって、複数の固定接点１１５（図９参照）が設けられた回路基板１１１と、この回路基板１１１上に載置され、可動接点１１４と頭部１１８（図９参照）とをそれぞれ有する複数のラバースプリング１１３が一体的に連続して形成されているラバースプリングシート１１０とが狭持されて構成されている。また、回路基板１１１とラバースプリングシート１１０との組合せによって形成される複数のキースイッチ１０５（図９参照）のうちの１つを開閉検出スイッチ１１７として使用するために、アクチュエータ１０９とスプリング１０８（付勢部材に相当）とが、操作パネルカバー１０７と第１カバー１１２とによって狭持されている。
【００４６】
次に、キースイッチ１０５、開閉検出スイッチ１１７のより詳細な構成について図９（Ａ）、（Ｂ）及び図１０に基づいて説明する。但し、図１０は操作パネル１０４の組立て順序を説明するための図なので、図９に対して天地が逆に記載してある。図９及び図１０に示すように、キースイッチ１０５は、複数の固定接点１１５が設けられた回路基板１１１に、回路基板１１１の固定接点１１５の位置に対向する可動接点１１４が設けられたシリコンゴム等からなるラバースプリング１１３を載置した構成のスイッチング部１１６を有し、更に、ラバースプリング１１３に頭部１１８が設けられた構成になっている。基本的に頭部１１８は、操作パネルカバー１０７に設けられたガイド孔１１９から操作パネルカバー１０７の表面よりも上方に突出している。また、その頭部１１８の最上面には、文字、記号等が記載、或いは表示されているものもある。同様に回路基板１１１の他の固定接点１１５に対向して可動接点１１４と頭部１１８が設けられている他のラバースプリング１１３が載置され、複数のキースイッチ１０５が形成されている。そして、上述したように、ラバースプリング１１３は、他のラバースプリング１１３と連続してラバースプリングシート１１０を形成している。
開閉検出スイッチ１１７は、上記のように構成されたキースイッチ１０５の頭部１１８より短い頭部１２７を備えるキースイッチ１０５が開閉検出スイッチ１１７として使用される。そして、開閉検出スイッチ１１７は、図８に示すように回路基板１１１とラバースプリングシート１１０が機能によってブロックごとになっているので、ブロックとブロックの間やブロックの空いているスペースに、回路基板１１１とラバースプリングシート１１０を製作するときに開閉検出スイッチ１１７用として同時に製作される。同時に製作するのでコストアップは無いという利点がある。
従って、頭部１２７は、操作パネルカバー１０７の表面には現出しない。そこで、図７に示すように第１カバー体１０３が第２カバー体１０２に対して開いているときは、図９（Ａ）に示すように、操作パネルカバー１０７に設けられた回動係止部１２９に回動係止端１３１の回動係止ピン１３２で回動係止されたアクチュエータ１０９（解除部材に相当）の押下部１２４が、上記のように構成された開閉検出スイッチ１１７の頭部１２７に、操作パネルカバー１０７のスプリング係止部１２１とアクチュエータ１０９のスプリング収納部１２３に備えられたスプリング１０８の付勢力によって当接してラバースプリング１１３を押下している。このため、可動接点１１４が固定接点１１５と接触するので、第１カバー体１０３が第２カバー体１０２に対して開放位置にあることが検出され得る。そして、アクチュエータ１０９の突出部１２５の先端部１２６が、回路基板１１１から外れた位置で操作パネルカバー１０７の端部になるように設けられている。そして、図６に示すように、第１カバー体１０３が第２カバー体１０２に対して閉じているときは、図９（Ｂ）に示すように、第２カバー体１０２の押圧部１３９ａがアクチュエータ１０９の突出部１２５の先端部１２６をスプリング１０８の付勢力に抗して持ち上げているので、押下部１２４が開閉検出スイッチ１１７の頭部１２７から離間するため、ラバースプリング１１３は復帰する。このため、可動接点１１４は固定接点１１５から離間するので、第１カバー体１０３が第２カバー体１０２に対して閉塞位置にあることが検出され得るのである。
【００４７】
ここで、キースイッチ１０５、開閉検出スイッチ１１７を含む操作パネル１０４を組み立てる順序を図１０に基づいて説明する。図１０において、先ず、操作パネルカバー１０７が、その裏側を上にした状態で静置される。次に、操作パネルカバー１０７から延出された回動係止部１２９に設けられた係止孔１３０に、アクチュエータ１０９の回動係止端１３１に設けられた回動係止ピン１３２でアクチュエータ１０９が係止される。次に、操作パネルカバー１０７に設けられたスプリング係止部１２１に、スプリング１０８の一端が嵌合されて取り付けられる。次に、アクチュエータ１０９のスプリング収納部１２３にスプリング１０８の他端が挿入された状態で、操作パネルカバー１０７から延出された延出部１２８のフック１２２にアクチュエータ１０９が弾性的に係止されるまで、アクチュエータ１０９は操作パネルカバー１０７に向かって押し下げられる。アクチュエータ１０９が延出部１２８のフック１２２に係止されると、アクチュエータ１０９はスプリング１０８の付勢力によって図１０の上方に向かって押圧されるためアクチュエータ１０９はフック１２２に当接されるが、フック１２２に係止されるため、アクチュエータ１０９が延出部１２８から外れることはない。次に、ラバースプリングシート１１０に設けられたラバースプリング１１３の頭部１１８が操作パネルカバー１０７に設けられたガイド孔１１９に挿入されるように、更には、ラバースプリングシート１１０に設けられたラバースプリング１１３の頭部１２７がアクチュエータ１０９の押下部１２４上に載置されるように、ラバースプリングシート１１０は操作パネルカバー１０７から延出されたボス１３７、１３８上に載置される。尚、図１０ではガイド孔１１９は１つのみ、更にボス１３７、１３８は各々１つのみ記載されているが、実際にはより多くのガイド孔１１９やボス１３７、１３８が操作パネルカバー１０７に設けられていることは言うまでもない。次に、回路基板１１１上の各固定電極１１５がラバースプリングシート１１０の呼応する可動電極１１４と対向するように回路基板１１１がラバースプリングシート１１０上に載置され、操作パネルカバー１０７から延出されている図示しないフックによって回路基板１１１とラバースプリングシート１１０とが操作パネルカバー１０７に固定される。そして、アクチュエータ１０９の突出部１２５の先端部１２６が、回路基板１１１から外れた位置で操作パネルカバー１０７の端部になるように、更には、その先端部１２６が第１カバー１１２の操作パネルカバー１０７側ではない表面よりも突出するように、第１カバー１１２が回路基板１１１上に載置される。最後に、操作パネルカバー１０７から延出されている図示しないボスに第１カバー１１２の裏面から図示しないネジがネジ締めされることによって、第１カバー１１２に操作パネルカバー１０７が固定される。そして、図９に示すように、操作パネル１０４の天地を逆にすると、第１カバー１１２の支えリブ１３４、１３５、１３６は回路基板１１１を支えることとなる。このようにして組み立てられた第１カバー１１２にその他関連部品が取り付けられて第１カバー体１０３が完成し、装置筺体としての第２カバー体１０２に対して第１カバー体１０３が開閉可能に取り付けられる。
【００４８】
続いて、キースイッチ１０５、開閉検出スイッチ１１７の動作を図６、図７、図９に基づいて説明する。キースイッチ１０５の動作は、図９（Ａ）、（Ｂ）に示すように、頭部１１８が使用者により押下されていなければ、回路基板１１１に設けられた固定接点１１５とラバースプリング１１３に設けられた可動接点１１４とは離間しているのでオフ状態になっている。頭部１１８が使用者により押下されると、固定接点１１５と可動接点１１４とが当接してオン状態になる。このとき、キースイッチ１０５に割り当てられた機能でデータが入力される。次に、開閉検出スイッチ１１７の動作を説明する。情報装置１００の通常の使用時においては、図６に示すように、第１カバー体１０３が閉塞位置Ｃに位置して第２カバー体１０２の開放部１０２ａを閉塞している。このとき、開閉検出スイッチ１１７の状態は、図９（Ｂ）に示す状態になっている。即ち、第２カバー体１０２の第２カバー１３９に設けられている押圧部１３９ａの表面がアクチュエータ１０９の突出部１２５の先端部１２６をスプリング１０８の付勢力に抗して持ち上げているので、アクチュエータ１０９の押下部１２４とラバースプリング１１３の頭部１２７の間に隙間ができてラバースプリング１１３は自力で復帰している。これによって、回路基板１１１に設けられた固定接点１１５とラバースプリング１１３に設けられた可動接点１１４とが離間するので開閉検出スイッチ１１７はオフ状態になっている。このオフ状態を図示しない制御部は、第１カバー体１０３が閉じている状態であると判断する。また、情報装置１００の内部で記録用紙のジャムが発生した場合やインクカートリッジの交換をする場合など、使用者が第２カバー体１０２の内部の作業を行なう必要がある場合には、使用者は、図７に示すように、第１カバー体１０３を閉塞位置Ｃから開放位置Ｄまで回動して第２カバー体１０２の開放部１０２ａを開放した状態で、第２カバー体１０２の内部で作業を行なうことになる。このとき、開閉検出スイッチ１１７の状態は、図９（Ａ）に示す状態になっている。即ち、アクチュエータ１０９の突出部１２５の先端部１２６が第２カバー１３９から離間してフリーになっているので、スプリング１０８の付勢力によってラバースプリング１１３の頭部１２７をアクチュエータ１０９の押下部１２４が押下している。これによって、回路基板１１１に設けられた固定接点１１５とラバースプリング１１３に設けられた可動接点１１４が当接するので開閉検出スイッチ１１７はオン状態になっている。このオン状態を図示しない制御部は、第１カバー体１０３が開いている状態であると判断し使用者に対して開放状態である旨の報知を含む危険防止の措置を取る。また、第１カバー体１０３が開放位置Ｄにある時間は、ジャムの発生した記録用紙の除去や、インクカートリッジの交換等の間だけであって、通常の使用時に閉塞位置Ｃにある時間に比して極めて短時間であるのでラバースプリング１１３で発生するクリープ現象は無いと考えてよい。
【００４９】
以上詳細に説明した通り、第２実施形態に係る情報装置１０１では、解除部材は、一端部が第１カバー体１０３内に回動可能に係止されるとともに他端部がラバースプリング１１３に圧力を付与可能な押下部１２４を構成し、両端部間に突出部１２５を備えるアクチュエータ１０９からなり、第１カバー体１０３を第２カバー体１０２に対して閉じたとき、突出部１２５の先端部１２６が第２カバー体１０２と当接し押下部１２４がスプリング１０８の圧力に抗してラバースプリング１１３から離間することでラバースプリング１１３に対する圧力を解除するようにしたので、情報装置１０１の使用上状態では、第１カバー体１０３を第２カバー体１０２に対して閉じた状態で使用されるが、閉じた状態でアクチュエータ１０９により、スプリング１０８がラバースプリング１１３に付与する圧力を解除するため、ラバースプリング１１３のクリープ対策に効果がある。また、突出部１２５を第2カバー体１０２のどこでも受けることができるので、微妙な位置調整をする必要が無いという効果もある。更に、開閉状態を検出する開閉検出スイッチ１１７のスイッチ機能が完結しているので組立ても簡単になるという効果もある。そして、この形態は、開閉状態を検出する開閉検出スイッチ１１７の配置が第1カバー体１０３の端部に配置できるのでデータを入力する操作パネル１０４の下を記録媒体が通過する情報装置１０１において記録媒体の通過を妨げないという効果もある。また、使用状態で開閉検出スイッチ１１７のラバースプリング１１３をオフ状態にしているのでクリープ対策に効果がある。
【００５０】
更に、本発明の第３実施形態を図面と共に説明する。第３実施形態に係る情報装置は、第１実施形態に係る情報装置１とほぼ同様の構成であり、開閉検出スイッチの部分の構成のみが異なるので、開閉検出スイッチ２１７について図１１に基づいて説明する。図１１は、第３実施形態で開閉検出スイッチが装着された操作パネルの断面図である。（Ａ）は、第１カバー体が開いて開閉検出スイッチがオン状態にあることを示す図、（Ｂ）は、第１カバー体が閉じて開閉検出スイッチがオフ状態にあることを示す図である。
【００５１】
先ず、開閉検出スイッチ２１７の構成について図１１（Ａ）、（Ｂ）に基づいて説明する。開閉検出スイッチ２１７は、複数の固定接点２１５が設けられた回路基板２１１の一つの固定接点２１５とラバースプリングシート２１０の中の可動接点２１４を備える一つのラバースプリング２１３とで構成されるスイッチング部２１６に頭部２２７を備えた構成になっている。また、板バネ２０８（弾性部材に相当）の一方の固定端２３１が操作パネルカバー２０７に固定され、他方の先端２２６はフリーになっている。そこで、図１１（Ａ）に示すように、第１カバー体２０３が図示しない第２カバー体に対して開いているときは、板バネ２０８の両端の間に設けられたラバースプリング押下部２２４が、板バネ２０８の付勢力によってラバースプリング２１３の頭部２２７を押下する。このため、可動接点２１４が固定接点２１５と接触するので、第１カバー体２０３が図示しない第２カバー体に対して開放位置にあることが検出され得る。また、第１カバー体２０３が図示しない第２カバー体に対して閉じているときは、図１１（Ｂ）に示すように、第２カバー体の上面の第２カバー２３９に設けられた突起部２４０の先端部２４１が板バネ２０８の先端２２６を板バネ２０８の付勢力に抗して持ち上げているので、板バネ２０８のラバースプリング押下部２２４が開閉検出スイッチ２１７（開閉検出手段に相当）の頭部２２７から離間するため、ラバースプリング２１３は復帰する。このため、可動接点２１４は固定接点２１４から離間するので、第１カバー体２０３が図示しない第２カバー体に対して閉塞位置にあることが検出され得るのである。
【００５２】
続いて、開閉検出スイッチ２１７の動作を図１１に基づいて説明する。第１カバー体２０３を図示しない第２カバー体に対して閉じたとき、開閉検出スイッチ２１７の状態は、図１１（Ｂ）に示す状態になっている。即ち、第１カバー２１２の貫通孔２３２に、第２カバー体の上面の第２カバー２３９のボス２４０の先端部２４１が貫通して板バネ２０８の先端２２６を板バネ２０８の付勢力に抗して持ち上げているので、板バネ２０８のラバースプリング押下部２２４（押下部に相当）の下側に空間ができラバースプリング２１３が自力で復帰している。これによって、回路基板２１１に設けられた固定接点２１５とラバースプリング２１３に設けられた可動接点２１４とが離間するので開閉検出スイッチ２１７はオフ状態になっている。このオフ状態を図示しない制御部は、第１カバー体２０３が閉じている状態であると判断する。また、情報装置の内部で記録用紙のジャムが発生した場合やインクカートリッジの交換をする場合など、使用者が図示しない第２カバー体の内部の作業を行なう必要がある場合には、使用者は、第１カバー体２０３を閉塞位置から開放位置まで回動して第２カバー体の開放部を開放した状態で、第２カバー体の内部で作業を行なうことになる。このとき、開閉検出スイッチ２１７の状態は、図１１（Ａ）に示す状態になっている。即ち、第１カバー体２０３内の板バネ２０８の先端２２６がフリーになっているので板バネ２０８の付勢力によって、ラバースプリング２１３の頭部２２７は板バネ２０８のラバースプリング押下部２２４によって押下されている。これによって、回路基板２１１に設けられた固定接点２１５とラバースプリング２１３に設けられた可動接点２１４とが当接するので開閉検出スイッチ２１７はオン状態になっている。このオン状態を図示しない制御部は、第１カバー体２０３が開いている状態であると判断し使用者に対して開放状態である旨の報知を含む危険防止の措置を取る。また、第１カバー体２０３が開放位置にある時間は、ジャムの発生した記録用紙の除去や、インクカートリッジの交換等の間だけであって、通常の使用時に閉塞位置にある時間に比して極めて短時間であるのでラバースプリング２１３で発生するクリープ現象は無いと考えてよい。
【００５３】
以上詳細に説明した通り、第３実施形態に係る情報装置では、開閉検出スイッチ２１７において、ラバースプリング２１３に常に押加圧力を印加する片持ちの板バネ２０８を備え、第１カバー体２０３の下方に配設された第２カバー２３９に設けられた突起部２４０の先端部２４１によって、第１カバー体２０３を閉じたときに片持ちの板バネ２０８が押し上げられることにより、片持ちの板バネ２０８の押加圧力が解除されるようにしたので、片持ちの板バネ２０８がアクチュエータを兼ねるので部品点数が削減できコストダウンに効果がある。また、構造が簡単になるのでスペースに余裕ができ、薄型化の設計ができる効果もある。そして、部品点数が減ることによって信頼性をあげることができるという効果もある。更に、通常の使用状態（閉塞位置）で開閉検出スイッチ２１７のラバースプリング２１３をオフ状態にしているのでクリープ対策に効果がある。
【００５４】
更に、本発明の第４実施形態を図面と共に説明する。第４実施形態に係る情報装置は、第３実施形態に係る情報装置１とほぼ同様の構成であり、開閉検出スイッチの一部構成が異なっている。図１２は、第４実施形態で開閉検出スイッチが装着された操作パネルの断面図である。（Ａ）は、第１カバー体が開いて開閉検出スイッチがオン状態にあることを示す図、（Ｂ）は、第１カバー体が閉じて開閉検出スイッチがオフ状態にあることを示す図である。上述した通り、第４実施形態は第３実施形態とほぼ同一であるので、図中で使用されている符号は、第３実施形態と同一機能のものは同じ符号を使用し、その説明を省略してポイントのみを説明する。ポイントは、第４実施形態に係る情報装置の開閉検出スイッチ２１７の可動接点２１４に導電性のある金属製の皿バネ２５０を使用したことである。その為、スイッチのオン・オフの切れを良くすることができ、第１カバー体２０３の開閉に対して素早く対応することができる。また、開閉検出スイッチ２１７のオン状態が長く続いた後でも素早くオフ状態にすることができる。
【００５５】
以上説明した通り、第４実施形態に係る情報装置では、開閉検出スイッチ２１７において、ラバースプリング２１３の下方に配置され固定接点２１５を覆う導電性の皿バネ２５０の可動接点２１４を備えたので、開閉検出スイッチ２１７のオン・オフの追従性を良くする効果がある。また、ラバースプリング２１３のクリープ対策にも効果がある。
【００５６】
更に、本発明の第５実施形態を図面と共に説明する。第５実施形態に係る情報装置も、第１実施形態に係る情報装置１とほぼ同様の構成であり、開閉検出スイッチの部分の構成のみが異なるので、開閉検出スイッチ３１７について図１３に基づいて説明する。図１３は、第５実施形態でキースイッチと開閉検出スイッチが装着された操作パネルの断面図である。（Ａ）は、第１カバー体が開いて開閉検出スイッチがオン状態にあることを示す図、（Ｂ）は、第１カバー体が閉じて開閉検出スイッチがオフ状態にあることを示す図である。
【００５７】
先ず、キースイッチ３０５、開閉検出スイッチ３１７の構成について図１３（Ａ）、（Ｂ）に基づいて説明する。図１３（Ａ）に示すように、キースイッチ３０５は、複数の固定接点３１５が設けられた回路基板３１１に、回路基板３１１の固定接点３１５の位置に対向する可動接点３１４が設けられたシリコンゴム等からなるラバースプリング３１３を載置した構成のスイッチング部３１６を有し、更に、ラバースプリング３１３に頭部３１８が設けられた構成になっている。基本的に頭部３１８は、操作パネルカバー３０７に設けられたガイド孔３１９から操作パネルカバー３０７の表面よりも上方に突出している。また、その頭部３１８の最上面には、文字、記号等が記載、或いは表示されているものもある。同様に回路基板３１１の他の固定接点３１５に対向して可動接点３１４と頭部３１８が設けられている他のラバースプリング３１３が載置され、複数のキースイッチ３０５が形成されている。そして、ラバースプリング３１３は、他のラバースプリング３１３と連続してラバースプリングシート３１０を形成している。
開閉検出スイッチ３１７は、回路基板３１１とラバースプリングシート３１０の空いているスペースに、回路基板３１１とラバースプリングシート３１０を製作するときに開閉検出スイッチ３１７用として同時に製作される。同時に製作するのでコストアップは無いという利点がある。開閉検出スイッチ３１７の構成は、回路基板３１１の貫通孔３３０の周囲にリング形状に固定接点３１５が設けられ、この固定接点３１５に対向する位置にリング形状の可動接点３１４が設けられたシリコンゴム等からなるラバースプリング３１３を載置した構成のスイッチング部３１６を有し、更に、ラバースプリング３１３には頭部３１８より短い頭部３２７が設けられている。従って、頭部３２７は、操作パネルカバー３０７の表面には現出しない。また、実装状態で可動接点３１４に付勢力を付与する為に、開閉検出スイッチ３１７の可動接点３１４は、部品状態ではラバースプリングシート３１０の下面よりも下方に突出している。そこで、第１カバー体３０３が図示しない第２カバー体に対して開いているときは、回路基板３１１のリング形状の固定接点３１５に対して、リング形状の可動接点３１４がその付勢力によって当接されている。このため、可動接点３１４が固定接点３１５と接触するので、第１カバー体３０３が図示しない第２カバー体に対して開放位置にあることが検出され得る。そして、第１カバー体３０３が図示しない第２カバー体に対して閉じているときは、図１３（Ｂ）に示すように、第２カバー体の上面の第２カバー３３９に設けられた突起部３４０の先端部３４１でラバースプリング３１３のほぼ中心を持ち上げているので、回路基板３１１の固定接点３１５とラバースプリング３１３の可動接点３１４は離間している。このため、第１カバー体３０３が図示しない第２カバー体に対して閉塞位置にあることが検出され得る。
【００５８】
続いて、キースイッチ３０５、開閉検出スイッチ３１７の動作を図１３に基づいてより詳細に説明する。キースイッチ３０５の動作は、図１３（Ａ）、（Ｂ）に示すように、頭部３１８が使用者により押下されていなければ、回路基板３１１に設けられた固定接点３１５とラバースプリング３１３に設けられた可動接点３１４とは離間しているのでオフ状態になっている。頭部３１８が使用者により押下されると、固定接点３１５と可動接点３１４とが当接してオン状態になる。このとき、キースイッチ３０５に割り当てられた機能でデータが入力される。次に、開閉検出スイッチ３１７の動作を説明する。第１カバー体３０３が図示しない第２カバー体に対して閉じられたとき、開閉検出スイッチ３１７の状態は、図１３（Ｂ）に示す状態になっている。即ち、図示しない第２カバー体の第２カバー３３９に設けられている突起部３４０の先端部３４１が、回路基板３１１の貫通孔３３０と第１カバー３１２の貫通孔３３２を貫通して、ラバースプリング３１３の中心を持ち上げているので、回路基板３１１の固定接点３１５とラバースプリング３１３の可動接点３１４は離間している。これによって、開閉検出スイッチ３１７はオフ状態になっている。このオフ状態を図示しない制御部は、第１カバー体３０３が閉じている状態であると判断する。また、第１カバー体３０３が図示しない第２カバー体に対して開かれたとき、開閉検出スイッチ３１７の状態は、図１３（Ａ）に示す状態になっている。即ち、ラバースプリング３１３の構造によって、回路基板３１１のリング形状の固定接点３１５にリング形状の可動接点３１４が付勢されて当接される。これによって、開閉検出スイッチ３１７はオン状態になっている。このオン状態を図示しない制御部は、第１カバー体３０３が開いている状態であると判断し使用者に対して開放状態である旨の報知を含む危険防止の措置を取る。
【００５９】
以上詳細に説明した通り、第５実施形態に係る情報装置３０１では、開閉検出スイッチ３１７において、固定接点３１５と可動接点３１４は、ラバースプリング３１３の中心に対してリング状に配置されて常に接触状態にあり、回路基板３１１及び第１カバー３１２には、ラバースプリング３１３の中心に対応する位置に貫通孔３３０、３３２が穿設され、第１カバー体３０３の下方に配設された第２カバー３３９に設けられた突起部３４０の先端部３４１が、第１カバー体３０３を閉じたときに、貫通孔３３０、３３２を貫通してラバースプリング３１３の中心を押し上げることにより固定接点３１５と可動接点３１４が離間されるようにしたので、ラバースプリング３１３に常に押加圧力を印加する弾性部材も無く、更に、中間に可動部材が介在しない構造になったので製造コスト低減に効果がある。また、部品点数を減らすことによって信頼性をあげることができるという効果もある。
【００６０】
更に、本発明の第６実施形態を図面と共に説明する。先ず、第６実施形態に係る情報装置３０１Ａの概略構成について図１４に基づいて説明する。図１４は、第６実施形態で開閉検出スイッチが装着された操作パネルの断面図である。（Ａ）は、第１カバー体が開いて開閉検出スイッチがオン状態にあることを示す図、（Ｂ）は、第１カバー体が閉じて開閉検出スイッチがオフ状態にあることを示す図である。ここで、第６実施形態は第５実施形態とほぼ同一であるので、図中で使用されている符号は、第５実施形態と同一機能のものは同じ符号を使用し、その説明を省略して異なる構成部位のみを説明する。構成の異なる部位としては、第５実施形態に係る情報装置の開閉検出スイッチ３１７において、ラバースプリング３１３の頭部３２７と操作パネルカバー３０７の間に配置されたスプリング３０８（弾性部材に相当）である。このスプリング３０８の存在により、ラバースプリング３１３の頭部３２７に押加圧力が常に付与されるため、回路基板３１１のリング形状の固定接点３１５にリング形状の可動接点３１４が安定して当接される。
【００６１】
以上説明した通り、第６実施形態に係る情報装置３０１Ａでは、ラバースプリング３１３の頭部３２７に常に押加圧力を付与するスプリング３０８を設けたので、第1カバー体３０３が図示しない第２カバー体に対して開けられたとき、開閉検出スイッチ３１７（開閉検出手段に相当）のオン状態がより確実に保持されるという効果があり、信頼性が向上するという効果がある。また、ラバースプリング３１３のクリープ対策にもなる、
【００６２】
更に、本発明の第７実施形態を図面と共に説明する。第７実施形態に係る情報装置では、他の方法で実現した開閉検出スイッチ４１７（開閉検出手段に相当）について図１５に基づいて説明する。図１５は、第７実施形態で開閉検出スイッチが装着された操作パネルの断面図である。（Ａ）は、第１カバー体が開いて開閉検出スイッチがオフ状態にあることを示す図、（Ｂ）は、第１カバー体が閉じて開閉検出スイッチがオン状態にあることを示す図である。
【００６３】
先ず、開閉検出スイッチ４１７の構成について図１５（Ａ）、（Ｂ）に基づいて説明する。開閉検出スイッチ４１７の構成は、複数の固定接点４１５が設けられた回路基板４１１の一つの固定接点４１５と、ラバースプリングシート４１０の一つのラバースプリング４１３の中に可動接点４１４を設けた導電性金属バネ４５０（変形解除部材に相当）とを備えて構成されるスイッチング部４１６に頭部４２７を備えた構成になっている。また、操作パネルカバー４０７に設けられた回動係止部４２９の係止孔４４８に、一端にラバースプリング押下端４２４（押下部に相当）、他端に作用端４２６（他端部に相当）を備えるアクチュエータ４０９の両端の略中央に設けられた回動係止ピン４４９によってアクチュエータ４０９が回動可能に係止されている。そこで、図１５（Ａ）に示すように、第１カバー体４０３が図示しない第２カバー体に対して開いているときは、作用端４２６を押し上げる力が存在しないのでラバースプリング４１３は復帰し、固定接点４１５と可動接点４１４は離間することとなる。そして、第１カバー体４０３が図示しない第２カバー体に対して閉じているときは、図１５（Ｂ）に示すように、第２カバー体の第２カバー４３９に設けられた突起部４４０の先端部４４１でアクチュエータ４０９の作用端４２６を押し上げることにより、ラバースプリング押下端４２４がラバースプリング４１３を押下して固定接点４１５と可動接点４１４を当接させることとなる。
【００６４】
続いて、開閉検出スイッチ４１７の動作を図１５に基づいてより詳細に説明する。第１カバー体４０３を閉じたとき、開閉検出スイッチ４１７の状態は、図１５（Ｂ）に示す状態になっている。即ち、第１カバー４１２の貫通孔４３２、回路基板４１１の貫通孔４３０、ラバースプリングシート４１０の貫通孔４２８を第２カバー４３９に設けられた突起部４４０の先端部４４１が貫通してアクチュエータ４０９の作用端４２６を押し上げることにより、ラバースプリング押下端４２４がラバースプリング４１３を押下して固定接点４１５と可動接点４１４を当接させているので、開閉検出スイッチ４１７はオン状態になっている。このオン状態を図示しない制御部は、第１カバー体４０３が閉じている状態であると判断する。また、第１カバー体４０３を開いたとき、開閉検出スイッチ４１７の状態は、図１５（Ａ）に示す状態になっている。即ち、作用端４２６を押し上げる力が存在しないのでラバースプリング４１３は復帰し、固定接点４１５と可動接点４１４は離間しているので、開閉検出スイッチ４１７はオフ状態になっている。このオフ状態を図示しない制御部は、第１カバー体４０３が開いている状態であると判断し使用者に対して開放状態である旨の報知を含む危険防止の措置を取る。また、ラバースプリング４１３は常に押下されている時間が長いが導電性金属バネ４５０を取り付けているので、ラバースプリング押下端４２４による押下を解除したときでもラバースプリング４１３は直に復帰し機能上の問題はない。更に、ラバースプリング４１３は接点部の塵除けにもなっている。
【００６５】
以上詳細に説明した通り、第７実施形態に係る情報装置４０１では、開閉検出スイッチ４１７において、ラバースプリング４１３の下方に配置され固定接点４１５を覆う導電性金属バネ４５０の可動接点４１４と、ラバースプリング４１３を押下するアクチュエータ４０９を備え、アクチュエータ４０９は、略中央部で第１カバー体４０３に設けられた回動係止部４２９に回動可能に係止され、第１カバー体４０３を閉じたときに、アクチュエータ４０９の一端の作用端４２６を第１カバー体４０３の下方に配設された第２カバー４３９に設けられた突起部４４０の先端部４４１が当接して押上げ、他端のラバースプリング押下端４２４でラバースプリング４１３の頭部４２７を押下げることにより、固定接点４１５と可動接点４１４が当接されるようにしたので、装置の都合で第１カバー体４０３が閉じているときにオン状態にしなければならない場合に効果がある。また、ラバースプリング４１３は常に押下されている時間が長いが導電性金属バネ４５０を取り付けているので、スイッチのオン・オフの追従性を良くする効果がある。また、ラバースプリングのクリープ対策にも効果がある。
【００６６】
更に、本発明の第８実施形態を図面と共に説明する。第８実施形態に係る情報装置では、他の方法で実現した開閉検出スイッチ５１７（開閉検出手段に相当）について図１６に基づいて説明する。図１６は、第８実施形態で開閉検出スイッチが装着された操作パネルの断面図である。（Ａ）は、第１カバー体が開いて開閉検出スイッチがオフ状態にあることを示す図、（Ｂ）は、第１カバー体が閉じられる途中で開閉検出スイッチが短時間だけオン状態とされることを示す図、（Ｃ）は、第１カバー体が完全に閉じて開閉検出スイッチがオフ状態にあることを示す図である。
【００６７】
先ず、開閉検出スイッチ５１７の構成について図１６（Ａ）、（Ｂ）、（Ｃ）に基づいて説明する。開閉検出スイッチ５１７の構成は、複数の固定接点が設けられた回路基板５１１の一つの固定接点５１５とラバースプリングシート５１０の中の可動接点５１４を備える一つのラバースプリング５１３とで構成されるスイッチング部５１６に頭部５２７を備えた構成になっている。また、操作パネルカバー５０７に設けられた回動係止部５２９の係止孔５４８に、一端にラバースプリング押下端５２４（押下部に相当）、他端に作用端５２６（他端部に相当）を備えるアクチュエータ５０９の両端の略中央に設けられた回動係止ピン５４９によってアクチュエータ５０９が回動可能に係止されている。そこで、図１６（Ａ）に示すように、第１カバー体５０３が図示しない第２カバー体に対して開いているときは、アクチュエータ５０９の作用端５２６を押し上げる力が存在しないのでラバースプリング５１３は復帰し、固定接点５１５と可動接点５１４は離間している。そして、第１カバー体５０３が図示しない第２カバー体に対して完全に閉じる前には、即ち、第１カバー体５０３が第２カバー体に対して閉じられる途中では、図１６（Ｂ）に示すように、第２カバー５３９に設けられた略Ｌ字形状をなす突起部５４０の楕円形状の先端５４１でアクチュエータ５０９の作用端５２６を押し上げることにより、ラバースプリング押下端５２４がラバースプリング５１３を押下して固定接点５１５と可動接点５１４を短時間だけ当接させる。更に、第１カバー体５０３が図示しない第２カバー体に対して完全に閉じられたときには、図１６（Ｃ）に示すように、突起部５４０又は作用端５２６の弾性により、第２カバー５３９に設けられた略Ｌ字形状をなす突起部５４０の楕円形状の先端５４１からアクチュエータ５０９の作用端５２６が外れ、ラバースプリング５１３が復帰して固定接点５１５と可動接点５１４が離間する構成になっている。
【００６８】
続いて、開閉検出スイッチ５１７の動作を図１６に基づいてより詳細に説明する。先ず、図１６（Ａ）に示すように、第１カバー体５０３が図示しない次第２カバー体に対して開いているときは、アクチュエータ５０９の作用端５２６を押し上げる力が存在しないのでラバースプリング５１３は復帰し、回路基板５１１の固定接点５１５とラバースプリング５１３の可動接点５１４は離間している。そして、第１カバー体５０３を第２カバー体に対して閉じ始めて第１カバー体５０３が完全に閉じる前には、図１６（Ｂ）に示すように、第２カバー５３９に設けられた略Ｌ字状の突起部５４０の楕円形状の先端５４１でアクチュエータ５０９の作用端５２６を押し上げることにより、ラバースプリング押下端５２４がラバースプリング５１３を押下して固定接点５１５と可動接点５１４を短時間だけ当接させる。このとき、開閉検出スイッチ５１７はオン状態になる。そして、このオン状態をトリガにして図示しない制御部は第１カバー体５０３が閉じている状態であると判断する。更に、第１カバー体５０３を図示しない第２カバー体に対して完全に閉じたときには、図１６（Ｃ）に示すように、突起部５４０又は作用端５２６の弾性により、第２カバー５３９に設けられた略Ｌ字状の突起部５４０の楕円形状の先端５４１からアクチュエータ５０９の作用端５２６が外れ、ラバースプリング５１３が復帰して固定接点５１５と可動接点５１４が離間する。この為、ラバースプリング５１３を押下したままにする状態を避けることができる。また、図１６（Ａ）の状態に戻すときは、アクチュエータ５０９の作用端５２６が第２カバー５３９に設けられた略Ｌ字形状をなす突起部５４０の楕円形状の先端５４１で掬われるが、突起部５４０又は作用端５２６の弾性により、アクチュエータ５０９の作用端５２６が外れて図１６（Ａ）の状態にもどる。上述の動作をスムースに行う為に、アクチュエータ５０９が回転しないようにストッパーピン５５１（規制部材に相当）が設けられている。
【００６９】
以上詳細に説明した通り、第８実施形態に係る情報装置５０１では、開閉検出スイッチ５１７であって、ラバースプリング５１３を押下するアクチュエータ５０９を備え、アクチュエータ５０９は、略中央部で第１カバー体５０３に設けられた回動係止部５２９（支持部に相当）に回動可能に係止され、第１カバー体５０３を閉じる途中において、アクチュエータ５０９の一端の作用端５２６を第１カバー体５０３の下方に配設された第２カバー５３９に設けられた突起部５４０の先端５４１（係合部に相当）が当接して押上げ、他端に設けられたラバースプリング押下端５２４でラバースプリング５１３を押下げることにより、固定接点５１５と可動接点５１４が当接され、第１カバー体５０３を閉じる最終段階において、アクチュエータ５０９の一端の作用端５２６が突起部５４０の先端５４１からアクチュエータ５０９又は突起部５４０の弾性力によって外れるようにしたことにより、ラバースプリング５１３が復帰して、固定接点５１５と可動接点５１４の当接が開放されるようにしたので、第１カバー体５０３が閉じているときに、ラバースプリング５１３の復帰力のみで復帰することができるので、クリープの問題を考慮する必要が無いという効果がある。
【００７０】
更に、本発明の第９実施形態を図面と共に説明する。第９実施形態に係る情報装置では、他の方法で実現した開閉検出スイッチ６１７（開閉検出手段に相当）について図１７、図１８に基づいて説明する。図１７は、第９実施形態で二つの開閉検出スイッチが装着された操作パネルを閉じるときの動きを説明する断面図である。（Ａ）は、第１カバー体が開いて二つの開閉検出スイッチがオフ状態にあることを示す図、（Ｂ）は、第１カバー体が閉じながら左側開閉検出スイッチがオフ状態、右側開閉検出スイッチがオン状態にあることを示す図、（Ｃ）は、第１カバー体が完全に閉じて二つの開閉検出スイッチがオフ状態にあることを示す図である。図１８は、第９実施形態で二つの開閉検出スイッチが装着された操作パネルを開くときの動きを説明する断面図である。（Ａ）は、第１カバー体が完全に閉じて二つの開閉検出スイッチがオフ状態にあることを示す図、（Ｂ）は、第１カバー体が開きながら左側開閉検出スイッチがオン状態、右側開閉検出スイッチがオフ状態にあることを示す図、（Ｃ）は、第１カバー体が完全に開いて二つの開閉検出スイッチがオフ状態にあることを示す図である。
【００７１】
先ず、開閉検出スイッチ６１７の構成について図１７（Ａ）、（Ｂ）、（Ｃ）、図１８（Ａ）、（Ｂ）、（Ｃ）に基づいて説明する。開閉検出スイッチ６１７の構成は、複数の固定接点が設けられた回路基板６１１の一つの固定接点６１５とラバースプリングシート６１０の中の可動接点６１４を備える一つのラバースプリング６１３とで構成されるスイッチング部６１６に頭部６２７を備えた構成になっている。そして、第９実施形態では、この開閉検出スイッチ６１７を２個使用している。また、操作パネルカバー６０７に設けられた回動係止部６２９の係止孔６４８に、一端に右側ラバースプリング押下端６２４（第１押下部に相当）、他端に作用端６２６（他端部に相当）と作用端６２６の右側に左側ラバースプリング押下端６５２を備えるアクチュエータ６０９の両端の間に設けられた回動係止ピン６４９によって、アクチュエータ６０９が回動可能に係止されている。そこで、図１７（Ａ）に示すように、第１カバー体６０３が図示しない第２カバー体に対して開いているときは、作用端６２６を押し上げる力が存在しないので二つのラバースプリング６１３は復帰しており、それぞれの固定接点６１５と可動接点６１４は離間している。そして、第１カバー体６０３が第２カバー体に対して完全に閉じられる前には、図１７（Ｂ）に示すように、第２カバー６３９に設けられた略Ｌ字形状をなす突起部６４０の楕円形状の先端６４１でアクチュエータ６０９の作用端６２６を押し上げることにより、右側ラバースプリング押下端６２４が右側のラバースプリング６１３を押下して固定接点６１５と可動接点６１４を当接させている。更に、第１カバー体６０３が図示しない第２カバー体に対して完全に閉じられたときには、図１７（Ｃ）に示すように、突起部６４０又は作用端６２６の弾性により、第２カバー６３９に設けられた略Ｌ字形状をなす突起部６４０の楕円形状の先端６４１からアクチュエータ６０９の作用端６２６が外れ、右側のラバースプリング６１３が復帰して固定接点６１５と可動接点６１４が離間する構成になっている。また、図１８（Ａ）に示すように、第１カバー体６０３が完全に閉じているときは、作用端６２６を押し上げる力が存在しないので二つのラバースプリング６１３は復帰しており、それぞれの固定接点６１５と可動接点６１４は離間している。そして、第１カバー体６０３が開かれた直後には、図１８（Ｂ）に示すように、アクチュエータ６０９の作用端６２６が第２カバー６３９に設けられた略Ｌ字形状をなす突起部６４０の楕円形状の先端６４１で掬われて、左側ラバースプリング押下端６５２が左側のラバースプリング６１３を押下して固定接点６１５と可動接点６１４を当接させている。更に、第１カバー体６０３を完全に開いたときには、図１８（Ｃ）に示すように、突起部６４０又は作用端６２６の弾性により、第２カバー６３９に設けられた略Ｌ字形状をなす突起部６４０の楕円形状の先端６４１からアクチュエータ６０９の作用端６２６が外れ、左側のラバースプリング６１３が復帰して固定接点６１５と可動接点６１４が離間する構成になっている。
【００７２】
続いて、開閉検出スイッチ６１７の動作を図１７、図１８に基づいてより詳細に説明する。先ず、図１７（Ａ）に示すように、第１カバー体６０３が図示しない第２カバー体に対して開いているときは、アクチュエータ６０９の作用端６２６を押し上げる力が存在しないので二つのラバースプリング６１３は復帰しており、それぞれ回路基板６１１の固定接点６１５とラバースプリング６１３の可動接点６１４は離間している。そして、第１カバー体６０３が第２カバー体に対して完全に閉じる前には、図１７（Ｂ）に示すように、第２カバー６３９に設けられた略Ｌ字形状をなす突起部６４０の楕円形状の先端６４１でアクチュエータ６０９の作用端６２６を押し上げることにより、右側ラバースプリング押下端６２４が右側のラバースプリング６１３を押下して固定接点６１５と可動接点６１４を当接させている。このとき、右側開閉検出スイッチ６１７はオン状態になる。そして、このオン状態をトリガにして図示しない制御部は第１カバー体６０３が閉じている状態であると判断する。更に、第１カバー体６０３を完全に閉じたときには、図１７（Ｃ）に示すように、突起部６４０又は作用端６２６の弾性により、第２カバー６３９に設けられた略Ｌ字形状をなす突起部６４０の楕円形状の先端６４１からアクチュエータ６０９の作用端６２６が外れ、右側のラバースプリング６１３が復帰して固定接点６１５と可動接点６１４が離間する。このため、右側ラバースプリング５１３が押下されたままの状態が継続されることを避けることができる。また、図１８（Ａ）に示すように、第１カバー体６０３が図示しない第２カバー体に対して完全に閉じられているときは、作用端６２６を押し上げる力が存在しないので二つのラバースプリング６１３は復帰しており、それぞれの固定接点６１５と可動接点６１４は離間している。そして、第１カバー体６０３が開かれた直後には、図１８（Ｂ）に示すように、アクチュエータ６０９の作用端６２６が第２カバー６３９に設けられた略Ｌ字形状をなす突起部６４０の楕円形状の先端６４１で掬われて、左側ラバースプリング押下端６５２が左側のラバースプリング６１３を押下して固定接点６１５と可動接点６１４を当接させる。このとき、左側開閉検出スイッチ６１７はオン状態になる。そして、このオン状態をトリガにして図示しない制御部は第１カバー体６０３が開いている状態であると判断する。更に、第１カバー体６０３が第２カバー体に対して完全に開かれたときには、図１８（Ｃ）に示すように、突起部６４０又は作用端６２６の弾性により、第２カバー６３９に設けられた略Ｌ字形状をなす突起部６４０の楕円形状の先端６４１からアクチュエータ６０９の作用端６２６が外れ、左側のラバースプリング６１３が復帰して固定接点６１５と可動接点６１４が離間する。このため、左側ラバースプリング５１３が押下されたままの状態が継続されることを避けることができる。このように左右の開閉検出スイッチ６１７を使用することによって、開閉のトリガ信号を取り出すことができる。
【００７３】
以上詳細に説明した通り、第９実施形態に係る情報装置では、開閉検出スイッチ６１７であって、左右のラバースプリング６１３の二つをそれぞれ交互に押下するアクチュエータ６０９を備え、アクチュエータ６０９は、第１カバー体６０３に設けられた回動係止部６２９（支持部に相当）に回動可能に係止され、第１カバー体６０３を閉じる途中において、アクチュエータ６０９の一端の作用端６２６を第１カバー体６０３の下方に配設された第２カバー６３９に設けられた突起部６４０の先端６４１（係合部に相当）が当接して押上げ、他端に設けられた右側ラバースプリング押下部材６２４で右側のラバースプリング６１３の頭部６２７を押下げることにより、右側のラバースプリング６１３の固定接点６１５と可動接点６１４が当接され、更に、第１カバー体６０３を閉じる最終段階において、アクチュエータ６０９の作用端６２６が突起部６４０の先端６４１からアクチュエータ６０９又は突起部６４０の弾性力によって外れるようにしたことにより、右側のラバースプリングが復帰して右側のラバースプリング６１３の固定接点６１５と可動接点６１４の当接が開放されるとともに、第１カバー体６０３を開く途中において、アクチュエータ６０９の作用端６２６を突起部６４０の先端６４１に当接することによって、作用端６２６側に設けられた左側ラバースプリング押下端６５２（第２押下部に相当）が左側のラバースプリング６１３を押下げることにより、左側のラバースプリング６１３の固定接点６１５と可動接点６１４が当接され、更に、第１カバー体６０３を開く最終段階では、アクチュエータ６０９の作用端６２６が突起部６４０の先端６４１からアクチュエータ６０９又は突起部６４０の弾性力によって外れるようにしたことにより、左側のラバースプリング６１３が復帰して、左側のラバースプリング６１３の固定接点６１５と可動接点６１４の当接が開放されているようにしたので、第１カバー体６０３が閉じているときでも開いているときでもラバースプリングの復帰力のみで復帰させるようにしたことによって、クリープフリーとなりクリープの問題を考慮する必要が無いという効果がある。また、第１カバー体６０３を閉じるときでも開くときでもその動作のトリガ信号を出力できるという効果もある。
【００７４】
尚、本発明は前記第１実施形態乃至第９実施形態に限定されることはなく、本発明の要旨を逸脱しない範囲内で種々の改良、変形が可能であることは勿論である。
例えば、図１、図２において、第１カバー体３が水平に閉められず片側が浮いている状態を検出する為に、操作パネル４の両端に開閉検出スイッチ１７を配置（図示せず）してこの障害を検出するようにしても良い。
【図面の簡単な説明】
【００７５】
【図１】第1実施形態で本発明が適用された情報装置の外観を表す正面図である。
【図２】第1実施形態で本発明が適用された情報装置の第1カバー体が横開きにされた外観を表す正面図である。
【図３】第1実施形態で第１カバー体に備えられた操作パネルを構成する構成部材の分解図である。
【図４】第1実施形態でキースイッチと開閉検出スイッチが装着された操作パネルの断面図である。（Ａ）は、第１カバー体が開いて開閉検出スイッチがオン状態にあることを示す図、（Ｂ）は、第１カバー体が閉じて開閉検出スイッチがオフ状態にあることを示す図である。
【図５】第1実施形態で操作パネルの組立て順序を示す図である。
【図６】第２実施形態で本発明が適用された情報装置の外観を表す斜視図である。
【図７】第２実施形態で本発明が適用された情報装置の第1カバー体が前開きにされた外観を表す斜視図である。
【図８】第２実施形態で第１カバー体に備えられた操作パネルを構成する構成部材の分解図である。
【図９】第２実施形態でキースイッチと開閉検出スイッチが装着された操作パネルの断面図である。（Ａ）は、第１カバー体が開いて開閉検出スイッチがオン状態にあることを示す図、（Ｂ）は、第１カバー体が閉じて開閉検出スイッチがオフ状態にあることを示す図である。
【図１０】第２実施形態で操作パネルの組立て順序を示す図である。
【図１１】第３実施形態で開閉検出スイッチが装着された操作パネルの断面図である。（Ａ）は、第１カバー体が開いて開閉検出スイッチがオン状態にあることを示す図、（Ｂ）は、第１カバー体が閉じて開閉検出スイッチがオフ状態にあることを示す図である。
【図１２】第４実施形態で開閉検出スイッチが装着された操作パネルの断面図である。（Ａ）は、第１カバー体が開いて開閉検出スイッチがオン状態にあることを示す図、（Ｂ）は、第１カバー体が閉じて開閉検出スイッチがオフ状態にあることを示す図である。
【図１３】第５実施形態でキースイッチと開閉検出スイッチが装着された操作パネルの断面図である。（Ａ）は、第１カバー体が開いて開閉検出スイッチがオン状態にあることを示す図、（Ｂ）は、第１カバー体が閉じて開閉検出スイッチがオフ状態にあることを示す図である。
【図１４】第６実施形態で開閉検出スイッチが装着された操作パネルの断面図である。（Ａ）は、第１カバー体が開いて開閉検出スイッチがオン状態にあることを示す図、（Ｂ）は、第１カバー体が閉じて開閉検出スイッチがオフ状態にあることを示す図である。
【図１５】第７実施形態で開閉検出スイッチが装着された操作パネルの断面図である。（Ａ）は、第１カバー体が開いて開閉検出スイッチがオフ状態にあることを示す図、（Ｂ）は、第１カバー体が閉じて開閉検出スイッチがオン状態にあることを示す図である。
【図１６】第８実施形態で開閉検出スイッチが装着された操作パネルの断面図である。（Ａ）は、第１カバー体が開いて開閉検出スイッチがオフ状態にあることを示す図、（Ｂ）は、第１カバー体が閉じながら開閉検出スイッチをオン状態にあることを示す図、（Ｃ）は、第１カバー体が完全に閉じて開閉検出スイッチがオフ状態にあることを示す図である。
【図１７】第９実施形態で二つの開閉検出スイッチが装着された操作パネルを閉じるときの動きを示す断面図である。（Ａ）は、第１カバー体が開いて二つの開閉検出スイッチがオフ状態にあることを示す図、（Ｂ）は、第１カバー体が閉じながら左側開閉検出スイッチがオフ状態、右側開閉検出スイッチがオン状態にあることを示す図、（Ｃ）は、第１カバー体が完全に閉じて二つの開閉検出スイッチがオフ状態にあることを示す図である。
【図１８】第９実施形態で二つの開閉検出スイッチが装着された操作パネルを開くときの動きを示す断面図である。（Ａ）は、第１カバー体が完全に閉じて二つの開閉検出スイッチがオフ状態にあることを示す図、（Ｂ）は、第１カバー体が開きながら左側開閉検出スイッチがオン状態、右側開閉検出スイッチがオフ状態にあることを示す図、（Ｃ）は、第１カバー体が完全に開いて二つの開閉検出スイッチがオフ状態にあることを示す図である。
【符号の説明】
【００７６】
１．情報装置
２．第２カバー体
３．第１カバー体
４．操作パネル
５．キースイッチ
７．操作パネルカバー
８．スプリング
９．アクチュエータ
１１．回路基板
１２．第１カバー
１３．ラバースプリング
１４．可動接点
１５．固定接点
１７．開閉検出スイッチ
２０．係止部
２１．ボス
２２．フック
２３．ボス
２４．基部
２５．延出部
２６．先端部
２７．頭部
２８〜３３．貫通孔
３９．第２カバー
【図１】
2006156159.tif 000003
【図２】
2006156159.tif 000004
【図３】
2006156159.tif 000005
【図４】
2006156159.tif 000006
【図５】
2006156159.tif 000007
【図６】
2006156159.tif 000008
【図７】
2006156159.tif 000009
【図８】
2006156159.tif 000010
【図９】
2006156159.tif 000011
【図１０】
2006156159.tif 000012
【図１１】
2006156159.tif 000013
【図１２】
2006156159.tif 000014
【図１３】
2006156159.tif 000015
【図１４】
2006156159.tif 000016
【図１５】
2006156159.tif 000017
【図１６】
2006156159.tif 000018
【図１７】
2006156159.tif 000019
【図１８】
2006156159.tif 000020